(57)【要約】      （修正有）【課題】補助ペダルの初期姿勢をピアノペダルに近似させながら、補助ペダルの作動が円滑になるピアノ演奏用補助ペダル装置を得る。【解決手段】昇降具３によって上下動調節される足置板６に、伸縮調節可能な押圧部材１４を上下摺動可能に貫通させるとともに、該押圧部材１４を上動付勢するばね２１を設け、押圧部材１４の下端に、ピアノペダル２６に上方から当接する当て板を設け、足置板６に起立固定したブラケット８に、補助ペダル１０を上下回動可能に連結するとともに該補助ペダル１０を押圧部材１４の上端に当接させてなるピアノ演奏用補助ペダル装置において、補助ペダル１０の回動軸心側端部に下方に突出する連結部１０ｃを設け、該連結部１０ｃをブラケット８に回動可能に連結するとともに、該連結部１０ｃの回動軸心Ｐ１を、補助ペダル１０の初期姿勢がピアノペダル２６の初期姿勢と対応する前下り傾斜させた際の補助ペダル１０と押圧部材１４との当接点Ｔ１よりも所定量下方に位置させる。【選択図】図１
0003123422.tif 000002
【実用新案登録請求の範囲】
【請求項１】
昇降具（３）によって上下動調節される足置板（６）に、伸縮調節可能な押圧部材（１４）を上下摺動可能に貫通させるとともに、該押圧部材（１４）を上動付勢するばね（２１）を設け、前記押圧部材（１４）の下端に、ピアノペダル（２６）に上方から当接する当て板（２０）を設け、前記足置板（６）に起立固定したブラケット（８）に、補助ペダル（１０）を上下回動可能に連結するとともに該補助ペダル（１０）を前記押圧部材（１４）の上端に当接させてなるピアノ演奏用補助ペダル装置において、前記補助ペダル（１０）の回動軸心側端部に下方に突出する連結部（１０ｃ）を設け、該連結部（１０ｃ）を前記ブラケット（８）に回動可能に連結するとともに、該連結部（１０ｃ）の回動軸心（Ｐ１）を、補助ペダル（１０）の初期姿勢がピアノペダル（２６）の初期姿勢と対応する前下り傾斜させた際の補助ペダル（１０）と前記押圧部材（１４）との当接点（Ｔ１）よりも所定量下方に位置させたことを特徴とするピアノ演奏用補助ペダル装置。
【考案の詳細な説明】
【技術分野】
【０００１】
本考案は、ピアノの椅子に腰掛けたとき、演奏者の足がペダルに届き難い場合に使用するピアノ演奏用補助ペダル装置に関するものである。
【背景技術】
【０００２】
従来の技術として、幼児の演奏者が腰掛ける椅子とピアノペダルとの間で床上に置かれた台枠の上方に足置板を高低調節自在に支持し、該足置板上面の突出部に補助ペダルを回動可能に枢着し、中空棒に挿入棒を出没調節可能に嵌合させてなる縮調節可能な押圧部材を設け、該押圧部材を、その上端がピアノから離れる方向に傾斜させて前記足置板に上下摺動可能に貫通させるとともに、該押圧部材を上方に移動させるばねを設け、前記押圧部材の上端を前記補助ペダルの下面に当接させ、該押圧部材の下端に、ピアノペダルの上面に当接する当て板を取り付けてなるピアノ演奏用補助ペダル装置があった。
【０００３】
前記従来のものは、足置板に押圧部材を傾斜させて取り付けるようにしていたため、特殊な部品、加工を必要とする等、構造が複雑になるものであった。また、ピアノペダルに対する補助ペダルの姿勢ついて配慮されておらず、ペダルの踏み込み感覚が実物と異なるものであった。
【特許文献１】実公平５−２６６３８号公報
【考案の開示】
【考案が解決しようとする課題】
【０００４】
本考案は、補助ペダルの初期姿勢をピアノペダルに近似させながら、補助ペダルの作動が円滑になるピアノ演奏用補助ペダル装置を得ることを目的とする。
【課題を解決するための手段】
【０００５】
本考案は、上記目的を達成するために以下の如く構成したものである。即ち、請求項１に係る考案は、昇降具によって上下動調節される足置板に、伸縮調節可能な押圧部材を上下摺動可能に貫通させるとともに、該押圧部材を上動付勢するばねを設け、前記押圧部材の下端に、ピアノペダルに上方から当接する当て板を設け、前記足置板に起立固定したブラケットに、補助ペダルを上下回動可能に連結するとともに該補助ペダルを前記押圧部材の上端に当接させてなるピアノ演奏用補助ペダル装置において、前記補助ペダルの回動軸心側端部に下方に突出する連結部を設け、該連結部を前記ブラケットに回動可能に連結するとともに、該連結部の回動軸心を、補助ペダルの初期姿勢がピアノペダルの初期姿勢と対応する前下り傾斜させた際の補助ペダルと前記押圧部材との当接点よりも所定量下方に位置させる構成にしたものである。
【考案の効果】
【０００６】
請求項１に係る考案は、補助ペダルを踏み込むと、押圧部材が下方に移動し、当て板を介してピアノペダルを押し下げることになる。このとき、前記補助ペダルは実物のピアノペダルと同様に前下り傾斜しているので、演奏者は補助ペダルを実物と同様の感覚で踏むことができる。また、補助ペダルは、押圧部材との当接点よりも下方に位置する軸心を中心として回動するので、補助ペダルを踏み込んだ際に、補助ペダルと押圧部材との当接部の相対移動が少なくなる。このため、前記当接部の磨耗が少なくなるとともに、補助ペダルの運動がピアノペダルに正確に伝達されることになる。
【考案を実施するための最良の形態】
【０００７】
以下本考案の実施例を図面に基づいて説明する。図において、図１は本考案の実施例を示す部分断面側面図、図２は図１の要部拡大図、図３は補助ペダルを踏み込んだ状態の要部拡大図、図４は足置板を上昇させた状態の部分断面側面図である。
【０００８】
図１において、１はピアノ２５と演奏者が腰掛ける椅子（図示省略）との間に配置されるピアノ演奏用補助ペダル装置であり、箱形の台２に昇降具３を介して足置板６を上下動調節可能に支持し、該足置板６に補助ペダル１０、押圧部材１４、及び当て板２０等を取り付けて構成される。
【０００９】
前記昇降具３は、台２と足置板６とを連結する平行リンク機構４、該平行リンク機構４を上下方向に伸縮調節する調節つまみ５を有し、調節つまみ５を正逆回転させることによって前記足置板６を演奏者の背丈に合わせて上下に移動調節するようになっている。
【００１０】
前記足置板６の後部（図１において右部）にペダル箱７を起立固定し、該ペダル箱７内に固定したブラケット８に補助ペダル１０を回動可能に連結する。該補助ペダル１０は、図２に示すように、前部（図２において左部）に上面が平滑な踏み部１０ａを、後部に上方に突出する規制部１０ｂを、該規制部１０ｂよりも後方に位置する後端部に下方に突出する連結部１０ｃを、前記踏み部１０ａの下面の前後方向中間部に下方に向かって円弧状に突出する当接部１０ｄをそれぞれ形成してなる。
【００１１】
前記補助ペダル１０は、その連結部１０ｃを前記ペダル箱７の後面（図２において左面）に形成した連通孔７ａに嵌合させ、支点ピンＰ１を介して前記ブラケット８に上下回動可能に連結する。前記支点ピンＰ１の上下位置は、補助ペダル１０の初期姿勢をピアノペダル２６の初期姿勢と対応する前下り傾斜させた状態において、該補助ペダル１０と後述する押圧部材１４との当接点Ｔ１よりも所定量下方に位置させる。
【００１２】
前記補助ペダル１０の当接部１０ｄが位置する足置板６に筒状の軸受ホルダ１１を貫通させて起立固定し、該軸受ホルダ１１の上下端部に軸受け１２（上軸受１２ａ、下軸受１２ｂ）を取付け、該軸受１１に押圧部材１４を上下摺動可能に嵌合させる。該押圧部材１４は、前記軸受１１に上下摺動可能に嵌合するスライドパイプ１５に心軸１８を下側から摺動可能に嵌合させ、該スライドパイプ１５の下端部外周に止めリング１６を嵌合固定し、該止めリング１６に止めボルト１７を外側から軸心方向に螺合させ、該止めボルト１７をねじ込むことにより、前記心軸１８をスライドパイプ１５に上下任意の位置で固定するようになっている。
【００１３】
前記スライドパイプ１５の上端部に前述した補助ペダル１０の当接部１０ｄに当接する受圧駒１９をねじ込み固定し、前記心軸１８の下端にピアノペダル２６の上面に当接する当て板２０を固定する。前記受圧駒１９の頭部はスライドパイプ１５よりも大径にしてばね受け部を形成する。前記スライドパイプ１５の上部にばね（コイルばね）２１を挿通し、該ばね２１の上端を前記受圧駒１９の頭部に係止し、該ばね２１の下端を軸受ホルダ１１の上端部に取り付けた上軸受１２ａに係止し、該ばね２１の反力で押圧部材１４を上方に移動付勢する。
【００１４】
前記押圧部材１４は、ばね２１の反力で上方に移動されると、スライドパイプ１５の下端部に固定した止めリング１６が軸受ホルダ１１の下軸受１２ｂに下方から衝突して該押圧部材１４の上動位置が規定され、これにより、補助ペダル１０の当接部１０ｄに当接する受圧駒１９の上限位置が決まり、該受圧駒１９により、図２に示すように、前記補助ペダル１０の初期姿勢をピアノペダル２６の初期姿勢と対応する前下り傾斜に設定する。
【００１５】
図２において、２２は止めリング１６と下軸受１２ｂとの間に介装したゴム製の緩衝ブッシュ、２０ａは当て板２０の下面側に固着した緩衝用のフェルト、２３は足置板６に取り付けたストッパーであり、前記補助ペダル１０を大きく踏み込んだ際に、前記ストッパー２４が補助ペダル１０の揺動端部の下面に固着した緩衝用のフェルト２４に衝突してそれ以上の下方への過回動を防止するためのものである。
【００１６】
ここで、前記補助ペダル１０の回動角度と支点ピンＰ１との関係は、以下の如く設定する。即ち、図３に示すように、演奏者によって補助ペダル１０が押し下げられる標準の作動姿勢での支点ピンＰ１の軸心と、補助ペダル１０の当接部と受圧駒１９との当接点Ｔ２とを結ぶ線を下動線Ｌ３とし、該下動線Ｌ３と前記支点ピンＰ１の軸心を通る水平線Ｌ１との角度βを約−６度と過程した際に、図２に示すように、前記補助ペダル１０が押圧部材１４によって押し上げられた初期姿勢での支点ピンＰ１の軸心と、補助ペダル１０の当接部と受圧駒１９との当接点Ｔ１とを結ぶ線を上動線Ｌ２とし、該上動線Ｌ２と前記水平線Ｌ１との角度αが前記角度βと正反対となる約６度となるように、前記支点ピンＰ１の位置を設定する。
【００１７】
前記実施例によれば、補助ペダル１０を踏み込むと、押圧部材１４が下方に移動し、当て板２０を介してピアノペダル２６を押し下げることになる。このとき、前記補助ペダル１０は実物のピアノペダル２６と同様に前下り傾斜しているので、演奏者は補助ペダル１０を実物と同様の感覚で踏むことができる。また、前記補助ペダル１０は、押圧部材１４との当接点Ｔ１よりも下方に位置する支点ピンＰ１を中心として回動するので、補助ペダル１０を踏み込んだ際に、補助ペダル１０と押圧部材１４との当接部の相対移動が少なくなる。しかも、補助ペダル１０は下向きに湾曲する当接部１０ｄが押圧部材１４の受圧駒１９に接触することになる。このため、補助ペダル１０と押圧部材１４との当接部の磨耗が少なくなるとともに、補助ペダル１０の運動がピアノペダル２６に正確に伝達されることになる。
【００１８】
また、演奏者の足が補助ペダル１０に届き難い場合には、調節つまみ５を例えば正回転させて平行リンク機構４を上方に伸長作動させ、図４に示すように、足置板６を上昇させ、前記補助ペダル１０が演奏者の足に円滑に届くように調節し、次いで、止めボルト１７を緩め、当て板２０がピアノペダル２６に当接するまで、心軸１８をスライドパイプ１５から下方に移動させた後、前記止めボルト１７を締めて前記心軸１８をスライドパイプ１５に固定する。
【図面の簡単な説明】
【００１９】
【図１】本考案の実施例を示す部分断面側面図である。
【図２】図１の要部拡大図である。
【図３】補助ペダルを踏み込んだ状態の要部拡大図である。
【図４】足置板を上昇させた状態の部分断面側面図である。
【符号の説明】
【００２０】
１    ピアノ演奏用補助ペダル装置
２    台
３    昇降具
４    平行リング機構
５    調節つまみ
６    足置板
７    ペダル箱
７ａ  連通孔
８    ブラケット
１０    補助ペダル
１０ａ  踏み部
１０ｂ  規制部
１０ｃ  連結部
１０ｄ  当接部
１１    軸受ホルダ
１２    軸受
１２ａ  上軸受
１２ｂ  下軸受
１４    押圧部材
１５    スライドパイプ
１６    止めリング
１７    止めボルト
１８    心軸
１９    受圧駒
２０    当て板
２０ａ  フェルト
２１    ばね
２２    緩衝ブッシュ
２３    ストッパー
２４    フェルト
２５    ピアノ
２６    ピアノペダル
【図１】
0003123422.tif 000003
【図２】
0003123422.tif 000004
【図３】
0003123422.tif 000005
【図４】
0003123422.tif 000006